(57)【要約】【課題】構造が簡単で、操作が簡単で確実であり、簡単な工程で、低コストで製造でき、収集した廃棄物による汚染を有効に防止できる廃棄物収集装置の提供。【解決手段】廃棄物収集装置１０は、延伸された管部或いはロッド部１２を具え、それは通常の使用状態においてその軸心が鉛直方向に延伸されるように直立設置され、この管状のロッド部１２は底端を具え、底端に固定座１４が設けられ、該固定座１４にプラスチックバッグのようなフレキシブルな廃棄物収集容器１６が分離可能に固定されると共に、該廃棄物収集容器１６がカバー１８により開放可能に閉じられる。該ロッド部１２の上端には制御装置２０が取り付けられて、該制御装置２０により選択的にカバー１８が開放されることにより廃棄物を廃棄物収集容器１６中に収集することができる。【選択図】        図２
2004155584.tif 000002
【特許請求の範囲】
【請求項１】
廃棄物収集装置において、
上端と底端を具えた内管と、
上端と底端を具え、該内管の外側に伸縮自在に套設されて、下方の閉合位置と上方の投棄位置の間を中間の開放位置を通過して軸方向に移動可能とされた、外管と、
該内管の底端に結合されると共に、廃棄物の通過に供される廃棄物通路を形成する固定座と、
ピボットピンで固定座に、固定座に対して回転自在に連接され、選択的に該廃棄物通路を閉じることができる、カバーと、
該カバーに連結され、これにより該外管が該内管に対して上方の開放位置と下方の閉合位置に移動する時に、該カバーが固定座に対して回転させられる、連結リンクと、
制御装置とされ、外管の内側に形成された第１多段溝と、内管に形成されて球状物を移動可能に収容し球状物の一部が該外管の第１多段溝に配置されうるよう形成された少なくとも一つの孔と、該内管に軸方向に移動可能に収容されると共に内管の孔に対応する第２多段溝が形成され、これにより球状物の一部が該第２多段溝に進入可能とされ、球状物と第１及び第２多段溝の間の連結により該外管が選択的に内管に対して下方、中間及び上方位置に保持されるシャンクとを具えた上記制御装置と、
を具えたことを特徴とする、廃棄物収集装置。
【請求項２】
請求項１記載の廃棄物収集装置において、固定座が、地面に置かれるに適した平坦な下部と該下部の上に固定されて該下部との間に廃棄物通路を形成する上部とを具え、該下部は、カバーのピボットピンの垂直線上の対応位置との間に第１の距離を有し、この第１の距離に廃棄物収集装置が収集する廃棄物が置かれることを特徴とする、廃棄物収集装置。
【請求項３】
請求項１記載の廃棄物収集装置において、カバーが付勢エレメントにより閉合位置に向けて付勢されたことを特徴とする、廃棄物収集装置。
【請求項４】
請求項１記載の廃棄物収集装置において、保持具をさらに具え、該保持具は外管の下端に嵌合する円筒本体と、外管に形成された対応するスロットに係合してこれにより該保持具を外管に固定するとげを具えた二つの弾性フィンガーと、円筒本体より横向きに延伸された上部保持板と下部保持板とを具え、該上部保持板と下部保持板の間に連結リンクの一部が保持されて連結リンクが外管に取り付けられることを特徴とする、廃棄物収集装置。
【請求項５】
請求項４記載の廃棄物収集装置において、保持具がモールドプラスチックで形成されたことを特徴とする、廃棄物収集装置。
【請求項６】
請求項１記載の廃棄物収集装置において、該廃棄物収集装置が固定ハンドルを具え、該固定ハンドルが、第１のハンドルバーを具え、該第１のハンドルバーが内管の上端に固定され横向きに延伸されて使用者の握持に供されることを特徴とする、廃棄物収集装置。
【請求項７】
請求項６記載の廃棄物収集装置において、該廃棄物収集装置が外管の上端に固定されて外管と共に移動可能とされた可動ハンドルを具え、該可動ハンドルが第２のハンドルバーを具え、該第２のハンドルバーが可動ハンドルに枢接されて第２のハンドルバーが釈放位置と外管に対して横向きに延伸された引き上げ状態との間で動作可能とされ、駆動リンクが固定ハンドルに隣接して第２のハンドルバーに形成されたスロットを通過して延伸され両側の壁により制限され、該駆動リンクに側方の突出部が形成され、これにより外管が下方閉合位置に移動する時、この側方の突出部が第２のハンドルバーの側壁に結合されて第２のハンドルバーを引き上げ状態に保持することを特徴とする、廃棄物収集装置。
【請求項８】
請求項７記載の廃棄物収集装置において、固定ハンドルが固定座を収集する廃棄物に対向させるための手による保持に適した追加のハンドルバーを具えたことを特徴とする、廃棄物収集装置。
【請求項９】
請求項７記載の廃棄物収集装置において、固定ハンドルに内管のシャンクを収容する孔が形成されたことを特徴とする、廃棄物収集装置。
【請求項１０】
請求項７記載の廃棄物収集装置において、該廃棄物収集装置が内管に枢接されたバッグリリースを具え、該バッグリリースが固定座との間に距離を有する第１部分を具え、バネの付勢により、フレキシブルな廃棄物収集容器がバッグリリースの第１部分と固定座との間に展開状態で支持されることを特徴とする、廃棄物収集装置。
【請求項１１】
請求項１０記載の廃棄物収集装置において、バッグリリースが、カバーに連動する第２部分を具え、カバーが投棄位置に移動してバッグリリースの第１部分が傾斜する時に廃棄物収集容器が固定座より釈放されることを特徴とする、廃棄物収集装置。
【請求項１２】
廃棄物収集装置において、
直立するロッドアセンブリと、
該ロッドアセンブリの下端に取り付けられた固定座と、
該固定座にピボットで枢接されて固定座に対して第１位置と第２位置の間で回転可能であるカバーと、
を具え、固定座がピボットの垂直延伸線上にある第２位置との間に距離を有して、この距離に収集する廃棄物が置かれることを特徴とする、廃棄物収集装置。
【請求項１３】
廃棄物収集装置において、
直立するロッドアセンブリと、
該ロッドアセンブリの下端に取り付けられた固定座と、
該固定座にピボットで枢接されて固定座に対して第１位置と第２位置の間で回転可能であるカバーと、
バッグリリースとされ、該バッグリリースがバッグ保持位置とバッグ釈放位置との間で動作可能に固定座に枢接され、該バッグリリースが固定座から離れてバッグ保持位置に向けてバネで付勢されてフレキシブルな廃棄物収集バッグを展開状態で該バッグリリースと該固定座の間に支持する第１部分を具え、該バッグリリースがさらにカバーにより駆動される第２部分を具え、カバーが第１位置から第２位置に移動する時にバッグリリースの第１部分がバッグ保持位置からバッグ開放位置に駆動されてバッグリリースの第１部分が展開状態のバッグをそれ以上保持せずにバッグを固定座より分離させる、上記バッグリリースと、
を具えたことを特徴とする、廃棄物収集装置。
【請求項１４】
請求項１３記載の廃棄物収集装置において、バッグリリースの第１部分がＵ形部材を具え、このＵ形部材が底部により連結された二つの側部を具え、この即部が固定座の両側に位置してそれにピボットで連結されてバッグの連結に供され、各側部が底部に対して突出部の両側に位置する末端延伸部を具え、この末端延伸部がカバーにより付勢バネに対抗してバッグ保持位置からバッグ釈放位置に駆動されることを特徴とする、廃棄物収集装置。
【請求項１５】
請求項１４記載の廃棄物収集装置において、付勢バネがＵ形バネを具え、該Ｕ形バネが、ピボットを通し保持するコイルを具えた腕を具え、各腕がバッグリリースの対応する側部に形成されたスロットに収容される自由端を具え、該Ｕ形バネがさらに固定座の突出部に取り付けられる底部を具えたことを特徴とする、廃棄物収集装置。
【請求項１６】
廃棄物収集装置において、
直立するロッドアセンブリと、
該ロッドアセンブリの下端に取り付けられて、上部と下部を具えてこの上部と下部の間に通路を形成し、該上部より突出部が延伸された固定座と、
可動式に該突出部に取り付けられて弾性的に付勢されたフラップ保持手段と、固定座に嵌合されて固定座の第１部分と第２部分の間で僅かに伸縮する前端開口を具え、前部が折られて固定座を被覆する弾性を具えた廃棄物収集容器と、
を具えたことを特徴とする、廃棄物収集装置。
【請求項１７】
請求項１６記載の廃棄物収集装置において、ピボットにより固定座に対して回転可能に固定座に取り付けられたカバーを具え、該カバーをカバー覆いが被覆することを特徴とする、廃棄物収集装置。
【請求項１８】
請求項１７記載の廃棄物収集装置において、廃棄物収集容器が自由端を具えたストリップを具え、カバー覆いが廃棄物収集容器の該ストリップの自由端を接着して廃棄物収集容器とカバー覆いを定位置に維持するための接着コーティングを具えたことを特徴とする、廃棄物収集装置。
【請求項１９】
請求項１６記載の廃棄物収集装置において、廃棄物収集容器が二つのプラスチックシートを具え、該二つのプラスチックシートの遠端と両側がシールされて前端開口を具えたバッグが形成され、少なくとも一つの切断線が第１のプラスチックシートに形成され、これにより相互に重畳するフラップ部が形成され、該フラップ部がフラップ保持手段と突出部の間に配置されて定位置に取り付けられることを特徴とする、廃棄物収集装置。
【請求項２０】
請求項１８記載の廃棄物収集装置において、廃棄物収集容器が二つのプラスチックシートを具え、該二つのプラスチックシートの遠端と両側がシールされて前端開口を具えたバッグが形成され、二つの切断線が第１のプラスチックシートに形成され、これにより第１のプラスチックシートの前端を超えて延伸された自由端を具えたストリップが形成されると共に、該ストリップの両側のフラップ部が形成され、これらフラップ部が相互に重畳してフラップ保持手段と突出部の間に配置されて定位置に取り付けられることを特徴とする、廃棄物収集装置。
【請求項２１】
請求項１９記載の廃棄物収集装置において、第２のプラスチックシートが指示マークを具え、廃棄物収集容器が固定座に取り付けられる時、固定座の下部が該指示マークの上に置かれることを特徴とする、廃棄物収集装置。
【請求項２２】
請求項２０記載の廃棄物収集装置において、第２のプラスチックシートが指示マークを具え、廃棄物収集容器が固定座に取り付けられる時、固定座の下部が該指示マークの上に置かれることを特徴とする、廃棄物収集装置。
【請求項２３】
廃棄物収集装置において、
直立するロッドアセンブリと、
該ロッドアセンブリの下端に取り付けられて、上部と下部を具えてこの上部と下部の間に通路を形成し、該上部より突出部が延伸された固定座と、
弾性を具えた廃棄物収集容器と、
を具え、該廃棄物収集容器が、
フレキシブルな第１及び第２のシートを具え、この第１及び第２のシートの遠端と両側がシールされて前端開口を具えたバッグが形成され、二つの切断線が第１のシートに形成されて、これら切断線により第１のシートの前端を超えて延伸された自由端を具えたストリップが形成されると共に、ストリップの両側のフラップ部が形成され、該フラップ部が相互に重畳し、弾性を具えて付勢に供されるフラップ保持手段と固定座の一部との間に取り付けられ、ストリップの自由端が分離可能に廃棄物収集装置の一部に取り付けられて廃棄物収集容器を定位置に保持するのを補助することを特徴とする、廃棄物収集装置。
【請求項２４】
請求項２３記載の廃棄物収集装置において、廃棄物収集容器の第２のシートに固定座の適当な位置に廃棄物収集容器を取り付けるための指示マークが印刷されたことを特徴とする、廃棄物収集装置。
【請求項２５】
請求項２３記載の廃棄物収集装置において、廃棄物収集容器の第１及び第２のシートがプラスチックで形成されたことを特徴とする、廃棄物収集装置。
【発明の詳細な説明】
【０００１】
【発明の属する技術分野】
本発明は一種の衛生的な方式で廃棄物を収集できる装置であって、特に構造が簡単で操作性に優れた廃棄物収集装置に関する。
【０００２】
【従来の技術】
廃棄物、特に動物の排泄物の収集は嫌な仕事である。このため、手で直接廃棄物をつままなくてもゴミが収集できる各種の廃棄物収集装置が市販されている。その一例は本件出願人による特許文献１に示されるようなものである。このような周知の装置は、役に立つが、その構造が複雑で、操作が難しく、確実に操作できない。このため、上述の欠点を克服する廃棄物収集装置の提供が求められている。
【０００３】
【特許文献１】
米国特許第６，０１９，４０５号明細書
【０００４】
【発明が解決しようとする課題】
本発明の主要な目的は、構造が簡単な廃棄物収集装置を提供することにある。
【０００５】
本発明の別の目的は、操作が簡単で確実な廃棄物収集装置を提供することにある。
【０００６】
本発明のさらに別の目的は、簡単な工程で、低コストで製造できる廃棄物収集装置を提供することにある。
【０００７】
本発明のまた別の目的は、収集した廃棄物による汚染を有効に防止できる廃棄物収集装置を提供することにある。
【０００８】
【課題を解決するための手段】
請求項１の発明は、廃棄物収集装置において、
上端と底端を具えた内管と、
上端と底端を具え、該内管の外側に伸縮自在に套設されて、下方の閉合位置と上方の投棄位置の間を中間の開放位置を通過して軸方向に移動可能とされた、外管と、
該内管の底端に結合されると共に、廃棄物の通過に供される廃棄物通路を形成する固定座と、
ピボットピンで固定座に、固定座に対して回転自在に連接され、選択的に該廃棄物通路を閉じることができる、カバーと、
該カバーに連結され、これにより該外管が該内管に対して上方の開放位置と下方の閉合位置に移動する時に、該カバーが固定座に対して回転させられる、連結リンクと、
制御装置とされ、外管の内側に形成された第１多段溝と、内管に形成されて球状物を移動可能に収容し球状物の一部が該外管の第１多段溝に配置されうるよう形成された少なくとも一つの孔と、該内管に軸方向に移動可能に収容されると共に内管の孔に対応する第２多段溝が形成され、これにより球状物の一部が該第２多段溝に進入可能とされ、球状物と第１及び第２多段溝の間の連結により該外管が選択的に内管に対して下方、中間及び上方位置に保持されるシャンクとを具えた上記制御装置と、
を具えたことを特徴とする、廃棄物収集装置としている。
請求項２の発明は、請求項１記載の廃棄物収集装置において、固定座が、地面に置かれるに適した平坦な下部と該下部の上に固定されて該下部との間に廃棄物通路を形成する上部とを具え、該下部は、カバーのピボットピンの垂直線上の対応位置との間に第１の距離を有し、この第１の距離に廃棄物収集装置が収集する廃棄物が置かれることを特徴とする、廃棄物収集装置としている。
請求項３の発明は、請求項１記載の廃棄物収集装置において、カバーが付勢エレメントにより閉合位置に向けて付勢されたことを特徴とする、廃棄物収集装置としている。
請求項４の発明は、請求項１記載の廃棄物収集装置において、保持具をさらに具え、該保持具は外管の下端に嵌合する円筒本体と、外管に形成された対応するスロットに係合してこれにより該保持具を外管に固定するとげを具えた二つの弾性フィンガーと、円筒本体より横向きに延伸された上部保持板と下部保持板とを具え、該上部保持板と下部保持板の間に連結リンクの一部が保持されて連結リンクが外管に取り付けられることを特徴とする、廃棄物収集装置としている。
請求項５の発明は、請求項４記載の廃棄物収集装置において、保持具がモールドプラスチックで形成されたことを特徴とする、廃棄物収集装置としている。
請求項６の発明は、請求項１記載の廃棄物収集装置において、該廃棄物収集装置が固定ハンドルを具え、該固定ハンドルが、第１のハンドルバーを具え、該第１のハンドルバーが内管の上端に固定され横向きに延伸されて使用者の握持に供されることを特徴とする、廃棄物収集装置としている。
請求項７の発明は、請求項６記載の廃棄物収集装置において、該廃棄物収集装置が外管の上端に固定されて外管と共に移動可能とされた可動ハンドルを具え、該可動ハンドルが第２のハンドルバーを具え、該第２のハンドルバーが可動ハンドルに枢接されて第２のハンドルバーが釈放位置と外管に対して横向きに延伸された引き上げ状態との間で動作可能とされ、駆動リンクが固定ハンドルに隣接して第２のハンドルバーに形成されたスロットを通過して延伸され両側の壁により制限され、該駆動リンクに側方の突出部が形成され、これにより外管が下方閉合位置に移動する時、この側方の突出部が第２のハンドルバーの側壁に結合されて第２のハンドルバーを引き上げ状態に保持することを特徴とする、廃棄物収集装置としている。
請求項８の発明は、請求項７記載の廃棄物収集装置において、固定ハンドルが固定座を収集する廃棄物に対向させるための手による保持に適した追加のハンドルバーを具えたことを特徴とする、廃棄物収集装置としている。
請求項９の発明は、請求項７記載の廃棄物収集装置において、固定ハンドルに内管のシャンクを収容する孔が形成されたことを特徴とする、廃棄物収集装置としている。
請求項１０の発明は、請求項７記載の廃棄物収集装置において、該廃棄物収集装置が内管に枢接されたバッグリリースを具え、該バッグリリースが固定座との間に距離を有する第１部分を具え、バネの付勢により、フレキシブルな廃棄物収集容器がバッグリリースの第１部分と固定座との間に展開状態で支持されることを特徴とする、廃棄物収集装置としている。
請求項１１の発明は、請求項１０記載の廃棄物収集装置において、バッグリリースが、カバーに連動する第２部分を具え、カバーが投棄位置に移動してバッグリリースの第１部分が傾斜する時に廃棄物収集容器が固定座より釈放されることを特徴とする、廃棄物収集装置としている。
請求項１２の発明は、廃棄物収集装置において、
直立するロッドアセンブリと、
該ロッドアセンブリの下端に取り付けられた固定座と、
該固定座にピボットで枢接されて固定座に対して第１位置と第２位置の間で回転可能であるカバーと、
を具え、固定座がピボットの垂直延伸線上にある第２位置との間に距離を有して、この距離に収集する廃棄物が置かれることを特徴とする、廃棄物収集装置としている。
請求項１３の発明は、廃棄物収集装置において、
直立するロッドアセンブリと、
該ロッドアセンブリの下端に取り付けられた固定座と、
該固定座にピボットで枢接されて固定座に対して第１位置と第２位置の間で回転可能であるカバーと、
バッグリリースとされ、該バッグリリースがバッグ保持位置とバッグ釈放位置との間で動作可能に固定座に枢接され、該バッグリリースが固定座から離れてバッグ保持位置に向けてバネで付勢されてフレキシブルな廃棄物収集バッグを展開状態で該バッグリリースと該固定座の間に支持する第１部分を具え、該バッグリリースがさらにカバーにより駆動される第２部分を具え、カバーが第１位置から第２位置に移動する時にバッグリリースの第１部分がバッグ保持位置からバッグ開放位置に駆動されてバッグリリースの第１部分が展開状態のバッグをそれ以上保持せずにバッグを固定座より分離させる、上記バッグリリースと、
を具えたことを特徴とする、廃棄物収集装置としている。
請求項１４の発明は、請求項１３記載の廃棄物収集装置において、バッグリリースの第１部分がＵ形部材を具え、このＵ形部材が底部により連結された二つの側部を具え、この即部が固定座の両側に位置してそれにピボットで連結されてバッグの連結に供され、各側部が底部に対して突出部の両側に位置する末端延伸部を具え、この末端延伸部がカバーにより付勢バネに対抗してバッグ保持位置からバッグ釈放位置に駆動されることを特徴とする、廃棄物収集装置としている。
請求項１５の発明は、請求項１４記載の廃棄物収集装置において、付勢バネがＵ形バネを具え、該Ｕ形バネが、ピボットを通し保持するコイルを具えた腕を具え、各腕がバッグリリースの対応する側部に形成されたスロットに収容される自由端を具え、該Ｕ形バネがさらに固定座の突出部に取り付けられる底部を具えたことを特徴とする、廃棄物収集装置としている。
請求項１６の発明は、廃棄物収集装置において、
直立するロッドアセンブリと、
該ロッドアセンブリの下端に取り付けられて、上部と下部を具えてこの上部と下部の間に通路を形成し、該上部より突出部が延伸された固定座と、
可動式に該突出部に取り付けられて弾性的に付勢されたフラップ保持手段と、固定座に嵌合されて固定座の第１部分と第２部分の間で僅かに伸縮する前端開口を具え、前部が折られて固定座を被覆する弾性を具えた廃棄物収集容器と、
を具えたことを特徴とする、廃棄物収集装置としている。
請求項１７の発明は、請求項１６記載の廃棄物収集装置において、ピボットにより固定座に対して回転可能に固定座に取り付けられたカバーを具え、該カバーをカバー覆いが被覆することを特徴とする、廃棄物収集装置としている。
請求項１８の発明は、請求項１７記載の廃棄物収集装置において、廃棄物収集容器が自由端を具えたストリップを具え、カバー覆いが廃棄物収集容器の該ストリップの自由端を接着して廃棄物収集容器とカバー覆いを定位置に維持するための接着コーティングを具えたことを特徴とする、廃棄物収集装置としている。
請求項１９の発明は、請求項１６記載の廃棄物収集装置において、廃棄物収集容器が二つのプラスチックシートを具え、該二つのプラスチックシートの遠端と両側がシールされて前端開口を具えたバッグが形成され、少なくとも一つの切断線が第１のプラスチックシートに形成され、これにより相互に重畳するフラップ部が形成され、該フラップ部がフラップ保持手段と突出部の間に配置されて定位置に取り付けられることを特徴とする、廃棄物収集装置としている。
請求項２０の発明は、請求項１８記載の廃棄物収集装置において、廃棄物収集容器が二つのプラスチックシートを具え、該二つのプラスチックシートの遠端と両側がシールされて前端開口を具えたバッグが形成され、二つの切断線が第１のプラスチックシートに形成され、これにより第１のプラスチックシートの前端を超えて延伸された自由端を具えたストリップが形成されると共に、該ストリップの両側のフラップ部が形成され、これらフラップ部が相互に重畳してフラップ保持手段と突出部の間に配置されて定位置に取り付けられることを特徴とする、廃棄物収集装置としている。
請求項２１の発明は、請求項１９記載の廃棄物収集装置において、第２のプラスチックシートが指示マークを具え、廃棄物収集容器が固定座に取り付けられる時、固定座の下部が該指示マークの上に置かれることを特徴とする、廃棄物収集装置としている。
請求項２２の発明は、請求項２０記載の廃棄物収集装置において、第２のプラスチックシートが指示マークを具え、廃棄物収集容器が固定座に取り付けられる時、固定座の下部が該指示マークの上に置かれることを特徴とする、廃棄物収集装置としている。
請求項２３の発明は、廃棄物収集装置において、
直立するロッドアセンブリと、
該ロッドアセンブリの下端に取り付けられて、上部と下部を具えてこの上部と下部の間に通路を形成し、該上部より突出部が延伸された固定座と、
弾性を具えた廃棄物収集容器と、
を具え、該廃棄物収集容器が、
フレキシブルな第１及び第２のシートを具え、この第１及び第２のシートの遠端と両側がシールされて前端開口を具えたバッグが形成され、二つの切断線が第１のシートに形成されて、これら切断線により第１のシートの前端を超えて延伸された自由端を具えたストリップが形成されると共に、ストリップの両側のフラップ部が形成され、該フラップ部が相互に重畳し、弾性を具えて付勢に供されるフラップ保持手段と固定座の一部との間に取り付けられ、ストリップの自由端が分離可能に廃棄物収集装置の一部に取り付けられて廃棄物収集容器を定位置に保持するのを補助することを特徴とする、廃棄物収集装置としている。
請求項２４の発明は、請求項２３記載の廃棄物収集装置において、廃棄物収集容器の第２のシートに固定座の適当な位置に廃棄物収集容器を取り付けるための指示マークが印刷されたことを特徴とする、廃棄物収集装置としている。
請求項２５の発明は、請求項２３記載の廃棄物収集装置において、廃棄物収集容器の第１及び第２のシートがプラスチックで形成されたことを特徴とする、廃棄物収集装置としている。
【０００９】
【発明の実施の形態】
本発明の廃棄物収集装置は、内管を伸縮自在に収容した外管を具えている。該外管は内管に対して、下方の閉合位置と上方の投棄位置の間で、中間の開放位置を経由して移動可能である。ゴミを収集するための廃棄物通路を画定する固定座が内管の下端に固定されている。カバーが回転可能に固定座にピンで枢接され、これによりカバーが固定座に対して移動可能とされ選択的に廃棄物通路を閉じることができる。連結リンクが該カバーに結合され、これにより外管が内管に対して上方の投棄位置と下方の閉合位置の間で中間の開放位置を経由して移動する時にカバーが固定座に対して回転する。制御装置は外管の内側に形成された第１多段溝と、内管に形成されて球状物を移動可能に収容すると共に放射状に延伸された複数の孔と、内管内に可動式に軸方向に収容されると共に内管の孔に対応する位置に第２多段溝が形成された軸と、を具えている。この孔は球状物の一部が第１及び第２多段溝に進入し結合できるように配置され、これにより球状物と第１及び第２多段溝の間の結合により外管が選択的に、内管に対して下方、中間、及び上方位置に維持される。バッグリリースが固定座に枢接され、カバーが投棄位置に移動させられてバッグリリースが傾けられて廃棄物収集容器を固定座から開放する時、カバーにより強制的に結合される。
【００１０】
【実施例】
図１から図３を参照されたい。符号１０は本発明の廃棄物収集装置を示す。本発明の廃棄物収集装置１０は、延伸された管部或いはロッド部１２を具え、それは通常の使用状態においてその軸心が鉛直方向に延伸されるように直立設置され、この管状のロッド部１２は底端（符号なし）を具え、底端に固定座１４が設けられ、該固定座１４にプラスチックバッグ（図６から図８参照）のようなフレキシブルな廃棄物収集容器１６が分離可能に固定されると共に、該廃棄物収集容器１６がカバー１８により開放可能に閉じられる。該ロッド部１２の上端（符号なし）には制御装置２０が取り付けられて、該制御装置２０により選択的にカバー１８が開放されることにより廃棄物（図示せず）を廃棄物収集容器１６中に収集することができる。
【００１１】
廃棄物収集装置１０の延伸されたロッド部１２は外管２２と外管２２に伸縮自在に収容された内管２４を具え、これにより外管２２は内管２４に対して、下方閉合位置（図３）と上方開放位置（図４）の間で軸方向の移動可能とされる。外管２２はさらに上方開放位置を通過して投棄位置（図５）に移動可能である。これらの位置については詳しく後述する。外管２２と内管２４は上端とその反対に位置する下端を具えている。内管２４の下端は外管２２の下端より突出して固定座１４がそれに固定されて廃棄物収集容器１６を支持する。
【００１２】
固定座１４は半円形フレーム（符号なし）を具え、該半円形フレームは図４のように地面Ｇ上に置かれる平坦な下部２６を具えている。固定座１４は廃棄物Ｒ、例えば動物の排泄物の前に置かれ（図４の仮想線参照）、アーチ状の上部２８が下部２６の上に連結されてその間に廃棄物通路２９が形成される。固定座１４は中空の突出部３０を具え、該突出部３０は中心孔３２を具え、該中心孔３２に内管２４の下端が挿入される。内管２４は固定座１４の突出部３０にはんだ付け、ボルトとナットの組合せ或いは圧着等の任意の手段により固定される。カバーサポート３８が固定座１４の突出部３０に形成されて横方向に延伸されている。貫通孔４０が該カバーサポート３８に形成されている。
【００１３】
カバー１８は半円形板４２を具え、該半円形板４２は固定座１４の半円形フレームの形状と寸法に対応する。該半円形板４２は二つの耳４４を具え、該耳４４は半円形板４２より延伸され相互に間を離して設けられている。耳４４には整列する孔４６が設けられ、該孔４６は固定座１４の突出部３０のカバーサポート３８の孔４０に対応し、これらをピボットピン４８が貫通する。これによりカバー１８がピボットピン４８の回りを固定座１４に対して（同様に突出部３０に対して）回転可能とされ、これによりカバー１８の半円形板４２が固定座１４に対して閉合位置（図３）と開放位置（４）の間で回転可能とされ、これにより固定座１４の上部２８と下部２６の間に形成された廃棄物通路２９が開閉される。
【００１４】
付勢エレメント５０がカバーサポート３８とカバー１８の間に設けられ、これによりカバー１８が平常の、固定座１４の廃棄物通路２９を閉じた閉合位置に付勢させられる。固定座１４の廃棄物通路２９は通常、付勢エレメント５０の提供する付勢力を受けるカバー１８により閉じられ、カバー１８が操作されて移動する力が付勢エレメント５０の力を克服するときにのみカバー１８が開くが、これについては後述する。これにより固定座１４に装着された廃棄物収集容器１６に収集された廃棄物が偶然に廃棄物収集容器１６より脱出して二次汚染を引き起こすのを防止できる。
【００１５】
図示された実施例では、付勢エレメント５０はねじりバネを具え、該ねじりバネはＵ形を呈して底部より突き出た腕を具えている。Ｕ形の二つの腕はコイル５２を形成すると共に自由端５４を具えている。カバー１８のピボットピン４８はコイル５２を貫通して延伸され付勢エレメント５０を所定の場所に支持並びに維持する。Ｕ形の底部は固定座１４の突出部３０に取り付けられて支持され、Ｕ形の各自由端５４は各耳４４と耳４４の内側に隣接するよう形成された支持板５６との間に形成されたスロット４４１に挿入されることによりカバー１８に固定され、これによりバネがカバー１８と固定座１４のカバーサポート３８の間に付勢力を及ぼす。
【００１６】
連結リンク５８は、略Ｕ形を呈し、保持具６０により外管２２に取り付けられる底部５９と二つの側部６１を具え、各側部６１はフック６２が形成された自由端を具え、該フック６２がカバー１８の各耳４４より突出して拡張端部６４１を具えた側方突出ピン６４に結合される。該連結リンク５８により、使用者が、外管２２を内管２４に対して上向きに、閉合位置から開放位置に軸方向に移動させることによりカバー１８が開く。外管２２を移動させることにより、外管２２に固定された保持具６０が連結リンク５８を介してカバー１８を駆動し、カバー１８を、ピボットピン４８を中心として回転させ、カバー１８を閉合位置から固定座１４の廃棄物通路２９を露出させる開放位置となす。
【００１７】
保持具６０はモールドプラスチックで形成され、外管２２の下端にぴったりと嵌合する円筒本体６６を具えている。二つの弾性フィンガー６８が円筒本体６６の両側に形成され、各弾性フィンガー６８は外管２２に形成された対応スロット７２に係合するとげ７０を具え、これにより保持具６０が外管２２に取り付けられる。上部保持板７４と下部保持板７６が円筒本体６６より横向きに延伸されている。ノッチ７８、８０が上部保持板７４と下部保持板７６に形成されている。図示される実施例では、二つの下部保持板７６が提供され、これら二つの下部保持板７６が相互に離間して形成され、単一の上部保持板７４が下部保持板７６の上方にあって、二つの下部保持板７６のほぼ中間に対応する位置に配置されている。上部保持板７４と下部保持板７６のノッチ７８、８０はアーチ形状を呈すると共に、相補し、これによりノッチ７８、８０が共同で、側面視によると、円形チャネルを形成し、この円形チャネルに連結リンク５８の底部５９が収容される。こうして、連結リンク５８の底部５９がノッチ７８、８０に設置され、これにより連結リンク５８の底部５９が上部保持板７４と下部保持板７６の間に保持される。当然、連結リンク５８の底部５９を保持できる他の構造を上部保持板７４と下部保持板７６の代わりに採用することも可能である。
【００１８】
制御装置２０は外管２２の上端に固定された可動ハンドル８２と、内管２４の上端に固定された固定ハンドル９２を具えている。可動ハンドル８２はハンドルバー８４を具え、該ハンドルバー８４はピボット８４１により可動ハンドル８２に枢接され、これによりハンドルバー８４が可動ハンドル８２に対して、開放状態とハンドルバー８４が可動ハンドル８２より横向きに延伸された引き上げ状態の間で運動可能とされる。可動ハンドル８２はさらに円筒形のスリーブ８６を具え、該スリーブ８６は外管２２の上端に取り付けられ、これにより可動ハンドル８２が外管２２と一体に動作する。希望により、該スリーブ８６は可動ハンドル８２より取り外されて外管２２と一体に形成されうる。中央孔８８がスリーブ８６に形成されている。多段溝９０（図３）がスリーブ８６の中央孔８８の内表面に形成されている。多段溝９０の構造については上述の特許文献１中に詳しく記載されているため、ここでは説明を省略する。
【００１９】
固定ハンドル９２は可動ハンドル８２のハンドルバー８４に対応する位置にあるハンドルバー１１１を具えている。好ましくは該固定ハンドル９２のハンドルバー１１１は分離可能に固定ハンドル９２に取り付けられる。図示される実施例では、ネジが切られた延伸部１１０が固定ハンドル９２より横向きに延伸され、これにより雌ネジ９４を具えたハンドルバー１１１が分離可能に固定ハンドル９２に結合され、これにより使用者が廃棄物収集装置１０を保持して廃棄物Ｒに向けて、廃棄物Ｒを廃棄物収集装置１０に収容する操作を行い易い。中空の軸９６が固定ハンドル９２より延伸され、可動ハンドル８２のスリーブ８６の中央孔８８に軸方向に動作可能に収容される。中空の軸９６の下端は内管２４の上端にしっかりと固定される。（或いは、中空の軸９６が内管２４と一体に形成されうる。）中空の軸９６の周縁には複数の放射状に延伸された開口９８が形成され、該開口９８に球状物１００が収容され、これにより球状物１００の一部が可動ハンドル８２のスリーブ８６の多段溝９０を多段溝９０を進退可能とされる。該開口９８は球状物１００を自在に内部で移動させる寸法を有する。図示される実施例では、軸９６の径方向の両側に二つの開口９８が配置されている。
【００２０】
制御装置２０はさらに中空の軸９６に軸方向に移動可能に収容されるシャンク１０２を具えている。該シャンク１０２の下端には多段溝１０４が形成され、該多段溝１０４は中空の軸９６の開口９８の位置に対応する。多段溝１０４、球状物１００及びスリーブ８６の多段溝９０の構造と操作については、上記特許文献１に記載されているため、説明を省略する。
【００２１】
シャンク１０２はプッシュボタン１０６を形成する拡張された上端を具えている。固定ハンドル９２の上面には凹部１０８が形成されて、該凹部１０８にプッシュボタン１０６が動作可能に収容されている。螺旋状のバネ１０７のような付勢手段がプッシュボタン１０６と凹部１０８の間に配置されて、プッシュボタン１０６を非作動位置に付勢し、これについては後述する。
【００２２】
駆動リンク２００が固定ハンドル９２より下向きに延伸されて可動ハンドル８２のハンドルバー８４に形成されたスロット２０１を貫通している。二つの側方の突出部２０２が駆動リンク２００の下部自由端より相互に反対方向に延伸され、これにより外管２２が下方位置に移動する時（図３）、突出部２０２が可動ハンドル８２のハンドルバー８４のスロット２０１の反対側に結合され、ハンドルバー８４が引き上げ位置に保持されて使用者が握持して、外管２２を下方閉合位置から上方開放位置、さらには投棄位置に移動させるのに供される。外管２２が図４に示されるように上方開放位置に移動させられた時、可動ハンドル８２のハンドルバー８４は突出部２０２により支持されず、このため開放状態となり、固定ハンドル９２のハンドルバー１１１の下方の空間がすっきりとし、操作に便利となる。
【００２３】
バッグリリース１１２が回転可能に固定座１４の突出部３０に、カバー１８と反対側に取り付けられる。バッグリリース１１２はＵ形を呈し、二つの相互に離間する側部１１４とこの二つの側部１１４を連結する連結部１１６を具えている。該側部１１４は突出部３０の両側に位置し、整列する孔１１８を具え、該孔１１８にピボットピン１２０が挿入され、該ピボットピン１２０が突出部３０の貫通孔１２２を通って延伸され、これによりバッグリリース１１２が突出部３０に枢接されて、固定座１４に対してバッグ保持位置（図３及び４の外管２２とカバー１８の閉合及び開放位置に対応する）とバッグ釈放位置（図５の外管２２とカバー１８の投棄位置に対応する）の間で動作可能とされる。バッグ保持位置において、バッグリリース１１２の連結部１１６はほぼ水平とされるか、かすかに上向きに傾斜して廃棄物収集容器１６のエッジと結合並びに支持する。廃棄物収集容器１６はこうしてしっかりとバッグリリース１１２と固定座１４（特に固定座１４の平坦な下部２６）に固定される。バッグリリース１１２がバッグ釈放位置に移動させられた時（外管２２とカバー１８の投棄位置への移動に対応する）、連結部１１６はやや下向きに傾き、廃棄物収集容器１６（バッグ）を廃棄物収集装置１０より滑り落とす。
【００２４】
付勢エレメント１２４がバッグリリース１１２と固定座１４の間に取り付けられて、バッグリリース１１２をバッグ保持位置に向けて付勢している。付勢エレメント１２４はＵ形バネを具え、Ｕ形バネの二つの腕はコイル１２６を形成し、このコイル１２６をピボットピン１２０が通過して延伸され付勢エレメント１２４を定位置に位置決め並びに保持している。付勢エレメント１２４の腕は自由端１２８を具え、バッグ保持位置にあって該自由端１２８はバッグリリース１１２の側部１１４に形成されたスロット１３０に収容される。
【００２５】
バッグリリース１１２の側部１１４は末端１３２を具えている。該末端１３２はカバー１８の耳４４に結合するに適した位置及び寸法とされ、これによりカバー１８が開放位置から投棄位置に移動可能とされ、耳４４はバッグリリース１１２の末端１３２に連結されて固定座１４の突出部３０に対するバッグリリース１１２の回転を手引きし、これによりバッグリリース１１２が傾斜して廃棄物収集装置１０を固定座１４より釈放する。
【００２６】
図４も参照されたい。廃棄物を収集するため、カバー１８を開放する時、使用者は廃棄物Ｒの隣に廃棄物収集装置１０を配置して固定座１４の廃棄物通路２９を廃棄物Ｒに対向させる。カバー１８を開放するため、使用者は可動ハンドル８２を固定ハンドル９２に向けて移動させ、これにより外管２２が連結リンク５８を介して開放位置（図４）へと駆動されることで、カバー１８が駆動される。外管２２は及びカバー１８はスリーブ８６とシャンク１０２の多段溝９０、１０４に結合された球状物１００により開放状態に保持される。これについては上述の特許文献１に詳しく説明されているため、球状物１００の操作及び多段溝９０、１０４についての説明は省略する。
【００２７】
その後、プッシュボタン１０６を押し下げてバネ１０７を非作動位置から作動位置となすと、シャンク１０２が下に移動させられ、カバー１８を開放位置に維持する球状物１００とスリーブ８６及びシャンク１０２の多段溝９０、１０４の間の結合が解消される。カバー１８は付勢エレメント５０の付勢力により閉合位置に回復させられる。カバー１８が開放位置から閉合位置に移動する時、カバー１８の移動経路に位置する廃棄物Ｒは、カバー１８に叩かれると共にすくわれて廃棄物収集容器１６中に進入する。
【００２８】
収集したゴミを廃棄する時は、廃棄物収集容器１６は使用者の手で直接廃棄物収集容器１６に触れることなく固定座１４より取り外される。これは、可動ハンドル８２が固定ハンドル９２に向けて移動させられることで、図５に示されるように、カバー１８が閉合位置から開放位置を通過して投棄位置に移動する動作により達成される。固定座１４に取り付けられて廃棄物収集容器１６を保持するバッグリリース１１２は、傾斜し、これにより廃棄物収集容器１６が固定座１４より釈放される。
【００２９】
バッグリリース１１２とカバー１８は球状物１００により投棄位置に維持され、これについては前述の特許文献１に記載のとおりである。図５に示されるように投棄位置からカバー１８を釈放するには、使用者がただプッシュボタン１０６を押せば、シャンク１０２が下に移動して、カバー１８を投棄位置に維持する球状物１００と多段溝９０、１０４の間の連結を解消させる。カバー１８がこれによりアーチ形通路Ｐに沿って下に移動し（図４）、これによりカバー１８が閉じられる。
【００３０】
図３から図５を再度参照されたい。固定座１４は傾斜する側面を有し、これにより固定座１４の平坦な下部２６は、カバー１８のピボットピン４８に垂直に対応する位置との間に距離Ｄを有し、この距離により廃棄物Ｒを収容するための十分な空間を提供している。これにより廃棄物Ｒはカバー１８の経路Ｐの最下端の位置に配置され、これによりカバー１８が最大速度を以て廃棄物Ｒを叩く。
【００３１】
さらに、廃棄物Ｒがカバー１８の経路Ｐの最下点に位置するため、カバー１８が廃棄物Ｒを叩いて廃棄物Ｒを完全に廃棄物収集容器１６中に送り込むことができる。
【００３２】
図６から図８に示されるように、図示される実施例によると、廃棄物収集容器１６はプラスチックバッグのようなプラスチック製のものとされ、遠端１６１に沿って接合された２枚のプラスチックシート３００、３０２を具え、近端１６２が前端開口１６３を形成し、該前端開口１６３が固定座１４に装着される。当然、廃棄物収集容器１６はワックスコートした紙等の他の材料で形成可能である。二つの切断線（符号なし）が第１プラスチックシート３００に形成され第１プラスチックシート３００の前端１６４より延伸され、これによりストリップ３０４が形成され、該ストリップ３０４の一端３０５は第１プラスチックシート３００に接合され、該ストリップ３０４の両側にそれぞれフラップ部３１２が形成される。ストリップ３０４は第１プラスチックシート３００の前端１６４を超えて延伸された自由端３０７を具えている。第２プラスチックシート３０２に指示マーク３０６が印刷されている。
【００３３】
固定座１４に廃棄物収集容器１６を取り付けるため、廃棄物収集容器１６は広く開かれ、固定座１４の平坦な下部２６の下に置かれた第２プラスチックシート３０２の前部がその指示マーク３０６の位置まで固定座１４の下部２６の内側に折り込まれる。第１プラスチックシート３００はかすかに引き伸ばされてバッグリリース１１２の上方を被覆する。こうして廃棄物収集容器１６がその伸縮性により固定座１４に取り付けたれる。ストリップ３０４はアーチ状の上部２８の上方より延伸されて、その自由端３０７がカバー覆い３０８に結合される。好ましくは該カバー覆い３０８はプラスチックで袋状に形成されたものとされ、カバー１８全体を被覆する。図示される実施例では、カバー覆い３０８は接着剤３０１でコートされ、これによりストリップ３０４の自由端３０７が接着される。これにより廃棄物収集容器１６とカバー覆い３０８の双方が定位置に取り付けられる。このカバー覆い３０８はカバー１８が収集された廃棄物Ｒにより汚染されるのを防止する。廃棄物収集容器１６の第１及び第２プラスチックシート３００、３０２の前部４００（図７）は内側に折り込まれ固定座１４の上部２８と下部２６を覆い、これにより固定座１４の上部２８と下部２６が収集された廃棄物により汚染されるのを防止する。
【００３４】
第１及び第２プラスチックシート３００、３０２の前部４００がプラスチック材料の固有の弾性により勝手に展開するのを防止するため、フラップ保持手段３５０が、固定座１４の突出部３０に動作可能に取り付けられている。また、図２に示されるように、フラップ保持手段３５０は、ピボット３５２を具え、該ピボット３５２は突出部３０に固定されたカバー支持手段３８の孔３５４に回転可能に収容されている。フラップ保持手段３５０はねじりバネ３５６によりその円形下端３５８が突出部３０に向けて付勢されている。第１プラスチックシート３００が固定座１４のアーチ形の上部２８に掛けられて折り込まれることと上部２８のアーチ形状により、フラップ部３１２の折り込まれた部分の一部が重なり合う。第１プラスチックシート３００のフラップ部３１２の重畳部分は、フラップ保持手段３５０の円形下端３５８がねじりバネ３５６に逆らうように動作することにより（図７の仮想線参照）、フラップ保持手段３５０の円形下端３５８と突出部３０の間に位置決めされる。フラップ部３１２はこうしてフラップ保持手段３５０に取り付けられ、これにより廃棄物収集容器１６の折り込まれた前部４００の勝手な展開が防止される。簡単に操作できるようにするためと、プラスチックシート３００、３９２の固有の弾性が小さいことから、ねじりバネ３５６の弾性係数は小さく且つ第１及び第２プラスチックシート３００、３０２の固有の弾性を克服するに十分なものが選択される。このねじりバネ３５６の小さい弾性係数はまた、固定座１４からの廃棄物収集容器１６の取り外しに役立つが、これについては後に説明する。
【００３５】
廃棄物収集容器１６を廃棄物収集装置１０より取り外すには、可動ハンドル８２を投棄位置に移動させれば、バッグリリース１１２が傾斜し、これにより廃棄物収集容器１６が釈放される。管状のロッド部１２により固定座１４の下側に位置する廃棄物収集容器１６と固定座１４の上側に位置するカバー１８が水平に保持される。廃棄物収集容器１６はこれにより、廃棄物収集容器１６中に収容された廃棄物の重さにより取り外される。この時、廃棄物収集容器１６の自由端３０７とカバー１８の接着により、及びカバー覆い３０８とカバー１８の間の結合により、廃棄物収集容器１６がロッド部１２の下方に垂れ下がるが、完全には廃棄物収集装置１０から分離しない。上述したように、ねじりバネ３５６の弾性係数は小さいため、収集された廃棄物の重量によりフラップ保持手段３５０のねじりバネ３５６の弾性力を克服でき、これにより廃棄物収集容器１６が固定座１４より取り外される。言い換えると、ねじりバネ３５６の弾性力は固定座１４からの廃棄物収集容器１６の分離を妨害しない。
【００３６】
ロッド部１２に対して廃棄物収集装置１０を１８０度回転させることにより、廃棄物収集容器１６が固定座１４に対してカバー１８と同側に移動し、廃棄物収集容器１６中に収集された廃棄物の重さによりカバー覆い３０８がカバー１８から分離し、これにより廃棄物収集容器１６とカバー覆い３０８が完全に廃棄物収集装置１０から分離する。こうして、収集した廃棄物を、廃棄物収集容器１６及びカバー覆い３０８に手を触れることなくごみ箱に廃棄できる。一方、廃棄物収集装置１０は廃棄物が廃棄物収集容器１６とカバー覆い３０８に保護されているため、汚染されることが全くない。
【００３７】
上述の実施例は本発明の実施範囲を限定するものではなく、本発明に基づきなしうる細部の修飾或いは改変は、いずれも本発明の請求範囲に属するものとする。
【００３８】
【発明の効果】
本発明は、構造が簡単で、操作が簡単で確実であり、簡単な工程で、低コストで製造でき、収集した廃棄物による汚染を有効に防止できる廃棄物収集装置を提供している。
【図面の簡単な説明】
【図１】本発明の廃棄物収集装置の斜視図である。
【図２】本発明の廃棄物収集装置の分解斜視図である。
【図３】本発明の廃棄物収集容器が取り付けられた廃棄物収集装置の閉合状態の部分断面側面図である。
【図４】図３に類似であるが、本発明の廃棄物収集装置の開放状態の部分断面側面図である。
【図５】図３及び図４に類似であるが、本発明の廃棄物収集装置の投棄状態の部分断面側面図である。
【図６】本発明の廃棄物収集装置の斜視図であり、廃棄物収集容器とカバー袋が取り外されている。
【図７】本発明の廃棄物収集装置の部分断面側面図であり、廃棄物収集容器とカバー袋が取り付けられている。
【図８】本発明の廃棄物収集装置の廃棄物収集容器とカバー袋が取り付けられた状態の斜視図である。
【符号の説明】
１０  廃棄物収集装置
１２  ロッド部
１４  固定座
１６  廃棄物収集容器
１８  カバー
２０  制御装置
２２  外管
２４  内管
２６  下部
２８  上部
２９  廃棄物通路
３０  突出部
３２  中心孔
３８  カバーサポート
４０  孔
４２  半円形板
４４  耳
４６  孔
４８  ピボットピン
５０  付勢エレメント
５２  コイル
５４  自由端
５６  支持板
５８  連結リンク
５９  底部
６０  保持具
６１  側部
６２  フック
６４  側方突出ピン
６４１  拡張端部
６６  円筒本体
６８  弾性フィンガー
７０  とげ
７２  スロット
７４  上部保持板
７６  下部保持板
７８、８０  ノッチ
８２  可動ハンドル
８４  ハンドルバー
８４１  ピボット
８６  スリーブ
８８  中央孔
９０  多段溝
９２  固定ハンドル
９４  雌ネジ
９６  軸
９８  開口
１００  球状物
１０２  シャンク
１０４  多段溝
１０６  プッシュボタン
１０８  凹部
１０７  バネ
１１０  延伸部
１１１  ハンドルバー
１１２  バッグリリース
１１４  側部
１１６  連結部
１１８  孔
１２０  ピボットピン
１２２  貫通孔
１２４  付勢エレメント
１２６  コイル
１２８  自由端
１３０  スロット
１３２  末端
１６１  遠端
１６２  近端
１６３  前端開口
１６４  前端
２００  駆動リンク
２０１  スロット
２０２  突出部
３００、３０２  プラスチックシート
３０１  接着剤
３０４  ストリップ
３０５  一端
３０６  指示マーク
３０７  自由端
３０８  カバー覆い
３１２  フラップ部
３５０  フラップ保持手段
３５２  ピボット
３５４  孔
３５６  ねじりバネ
３５８  円形下端
４００  前部
４４１  スロット
Ｐ  経路
Ｒ  廃棄物
【図１】
2004155584.tif 000003
【図２】
2004155584.tif 000004
【図３】
2004155584.tif 000005
【図４】
2004155584.tif 000006
【図５】
2004155584.tif 000007
【図６】
2004155584.tif 000008
【図７】
2004155584.tif 000009
【図８】
2004155584.tif 000010